(57)【要約】【課題】工場などの大空間内で気流を起こす空気搬送用気流ファンの出口側に使用され、従来の気流ノズルでは、ノズル部分から出た風が十分に旋回成分を整えきれず回転拡散して出て行くことから到達距離に不足があったため、これを解消することを目的とする。【解決手段】本発明の気流ノズル４は、斜流ファン、または軸流ファンの吐出側に設ける気流ノズルであって、円筒状の外筒５と、この外筒５内に外筒５と同軸の内筒６を設け、この内筒６は、ファン側から吹出し側に向けて径を細くすることを特徴とするものであり、ファンから出る風を遠くまで送り出すことができる。【選択図】図１
2009257143.tif 000002
【特許請求の範囲】
【請求項１】
斜流ファン、または軸流ファンの吐出側に設ける気流ノズルであって、円筒状の外筒と、この外筒内に外筒と同軸の内筒を設け、この内筒は、ファン側から吹出し側に向けて径を細くすることを特徴とする気流ノズル。
【請求項２】
前記内筒と前記外筒の間に、ファン側から吹出し側に向けて伸び、かつ、内筒から放射状に複数のガイド板を設けたことを特徴とする請求項１記載の気流ノズル。
【請求項３】
前記ガイド板は、吹出し方向に平行であることを特徴とする請求項２記載の気流ノズル。
【請求項４】
前記ガイド板は、ファン側から吹出し側に向けてファンの回転方向に螺旋を描くように取り付けられたことを特徴とする請求項２記載の気流ノズル。
【請求項５】
前記ガイド板は、ファン側では気流の流入方向に曲率をつけて傾けて取り付けられ、吹出し側では気流の吹出し方向に平行に取り付けられたことを特徴とする請求項２記載の気流ノズル。
【請求項６】
前記内筒内に、十字型の内筒ガイドを設けた請求項１〜５いずれかに記載の気流ノズル。
【発明の詳細な説明】
【技術分野】
【０００１】
本発明は、工場などの空間内で気流を起こす空気搬送用気流ファンの出口側に使用され、斜流ファンや軸流ファンの出口に直接取り付ける気流ノズルに関する。
【背景技術】
【０００２】
従来、この種の気流ノズルは、円筒状の直管、ないしはその径が吹出し側に向けて細くなるようなテーパ管（テーパが曲率を持つ場合もある）のものが知られている。
【０００３】
以下、その気流ノズルについて図５を例に参照しながら説明する。
【０００４】
図に示すように、気流ノズル１０１は外筒１０２のみであり、斜流ファン１０３に取り付けることにより斜流ファンの吐出側の風の流れを整え外部に空気を送り出す。
【０００５】
また、この種の気流をつくる送風機で、軸流式送風機にマルチガイドベーンを取り付けて直線的に気流を送り出そうとするものもある（例えば、特許文献１参照）。
【０００６】
以下、そのマルチガイドベーン付き軸流式送風機について図６および図７を参照しながら説明する。
【０００７】
図に示すように、従来のマルチガイドベーン付き軸流送風機は、軸流式回転ファン２０１と、その後流側に流出気流を整流するマルチガイドベーン２０２を有するものである。マルチガイドベーン２０２は、上記流出気流の旋回を抑える半径方向に設けたラジアルガイドベーン２０３と、このラジアルガイドベーン２０３の後流に位置し、このラジアルガイドベーン２０３の流出気流の半径方向の広がりを抑える円周方向に設けたリングガイドベーン２０４とからなる。ラジアルガイドベーン２０３は複数の静翼２３１を有し、上記回転ファン２０１の後流側の近接位置に固定され、上記回転ファン２０１から流出する気流の旋回を打ち消す角度に設定されている。リングガイドベーン２０４は、同心状に形成した複数のリング状薄板からなるリングベーン２４１と、このリングベーン２４１を保持するための放射状に設けた複数のストラット２４２から構成される。リングベーン２４１は、上記流出気流の半径方向の広がりをより抑えるために、取付け角度をこのリングベーン２４１後縁のリング半径が減少するように傾けて取り付けられている。このようなマルチガイドベーン付き軸流式送風機は、吐出側の風の流れを整え外部に空気を送り出すようにしている。
【特許文献１】特開２００１−３０４１９３号公報（第５頁、第１図、第２図）
【発明の開示】
【発明が解決しようとする課題】
【０００８】
このような従来の気流ノズルでは、ノズル部分から出た風が十分に旋回成分を整えきれず、風が回転しつつ拡散するため到達する距離が不十分であるという課題があり、より旋回流れを抑え、風を遠くまで届けることが要求されている。
【０００９】
本発明は、このような従来の課題を解決するもので、送風機から出る風の旋回成分をより抑えることができ、また、ノズル出口で風速の違いを作り風の到達距離をより遠くまで届けることのできる気流ノズルを提供することを目的としている。
【課題を解決するための手段】
【００１０】
本発明の気流ノズルは上記目的を達成するために、斜流ファン、または軸流ファンの吐出側に設ける気流ノズルであって、円筒状の外筒と、この外筒内に外筒と同軸の内筒を設け、この内筒は、ファン側から吹出し側に向けて径を細くすることを特徴とするものである。
【００１１】
この手段により、斜流ファンや軸流ファンから吹き出す風の周囲と中心部とで風速に違いをもたせて、吹き出す風を遠くまで送り出せることができる気流ノズルが得られる。
【発明の効果】
【００１２】
本発明によれば、送風機から出る風の旋回成分をより抑えることができ、また、ノズル出口で径方向に風速の違いを作り風の到達距離をより遠くまで届けることができる効果を有する気流ノズルを提供できる。
【発明を実施するための最良の形態】
【００１３】
本発明の請求項１記載の発明は、斜流ファン、または軸流ファンの吐出側に設ける気流ノズルであって、円筒状の外筒と、この外筒内に外筒と同軸の内筒を設け、この内筒は、ファン側から吹出し側に向けて径を細くすることを特徴とするものであり、ノズル出口で径方向に風速の違いを作り、風の到達距離を遠くまで届けることができる作用を有する。
【００１４】
また、前記内筒と前記外筒の間に、ファン側から吹出し側に向けて伸び、かつ、内筒から放射状に複数のガイド板を設けたことを特徴とするものであり、送風機から出る風の旋回成分を抑え、吹出す風を遠くまで届けることができる。
【００１５】
また、前記ガイド板は、吹出し方向に平行であることを特徴とするものであり、送風機から出る風の旋回成分を抑え、吹出す風を遠くまで届けることができる。
【００１６】
また、前記ガイド板は、ファン側から吹出し側に向けてファンの回転方向に螺旋を描くように取り付けられたことを特徴とするものであり、送風機から出る風の旋回成分を抑え、吹出す風を遠くまで届けることができる。
【００１７】
また、前記ガイド板は、ファン側では気流の流入方向に曲率をつけて傾けて取り付けられ、吹出し側では気流の吹出し方向に平行に取り付けられたことを特徴とするものであり、ガイド板に沿わせて滑らかに風が流入するため、ノズルから出る風をより直線的に遠くへ出すことができる。
【００１８】
また、前記内筒内に、十字型の内筒ガイドを設けたものであり、内筒ガイドは、テーパ管内部の風を滑らかに出口側へ案内するので、ノズルから出る風の中心部分でもより直線的に風を出せるという作用を有する。
【００１９】
以下、本発明の実施の形態について図面を参照しながら説明する。
【００２０】
（実施の形態１）
図１および図２に示すように、斜流ファン１の吸い込み側にベルマウス２と金網３を取り付け、吐出側には気流ノズル４を取り付ける。気流ノズル４は円筒状の外筒５と、外筒５と同軸に、かつ内側に設けた内筒６と、内筒６を外筒５に固定するガイド板７で構成されている。内筒６は、ファン１側から気流の吹出し側、すなわち吹出口１１側に向けて径が小さくなるようになっている。ガイド板７は、内筒６（外筒５）の中心軸から放射状に、かつ、風の吹出し方向と平行になるように、内筒６の外周と外筒５の内周とに取り付けられている。
【００２１】
上記構成の気流ノズル４によれば、以下のような作用がある。すなわち、斜流ファン１から送り出された空気は、内筒６の内側（中心部１３）を通過するものと、内筒６と外筒５の間（外周部１４）を通過するものとに分かれる。内筒６は吹出し側に向けて径が細くなっているため、中心部１３を通過する空気の風速は、ファン吐出口１２での風速より吹出口１１での風速のほうが速くなる。一方、外周部１４を通過する空気は、ファン吐出口１２での風速より吹出口１１での風速のほうが遅くなる。このように、風速の速い空気の周りを風速の遅い空気によって囲むことによって、中心部１３の空気をより遠くまで送り出すことができることになる。さらに、ファン吐出口１２においては、斜流ファン１の特性に従い、外周側の風速が速く、中心部の風速が遅くなっている。すなわち、単位面積あたりでは外周側の風量が多く、中心部の風量は少ない。従って、吹出し側に向けて径の細くなる内筒６を外筒５内に設けることによって、その風量バランスを改善するという効果もある。
【００２２】
また、ガイド板７は、ファン１の回転方向に回転する空気の流れを吹き出し方向に案内することにより、斜流ファン１から出る風を遠くまで送り出すことができる。
【００２３】
なお、本実施の形態では、ガイド板７を風の吹き出し方向に平行に設けたが、斜流ファン１側（ファン吐出口１２）から吹出し側（吹出口１１）に向けて斜流ファン１の回転方向に螺旋を描くように取り付けてもよい。
【００２４】
（実施の形態２）
第２の実施の形態について、図３を用いて説明する。実施の形態１と同じ構成については、同じ番号を付し、詳細な説明を省略する。
【００２５】
図３に示すように、斜流ファン１のファン吐出口１２に取り付けた気流ノズル４には、斜流ファン１から気流ノズル４へ入る流れを滑らかに気流ノズル４へ入れるために、ガイド板８の入口側を風の流入する方向、すなわち、ファン吐出口１２から吹出口１１に向かって斜流ファン１の回転方向に曲率をつけて傾けている。
【００２６】
このような構成によれば、斜流ファン１から吹出す空気は、ファン吐出口１２における風の回転に従って外周部１４に導かれるため、外筒５と内筒６との間を流れる風を滑らかに直線方向（吹き出し方向）に案内し、通過する空気をより遠くまで送り出すことができる。
【００２７】
（実施の形態３）
第３の実施の形態について、図４を用いて説明する。実施の形態１、２と同じ構成については、同じ番号を付し、詳細な説明を省略する。
【００２８】
図４に示すように、気流ノズル４内に設けた内筒６内には、気流を出口側へ案内する十字状ガイド９を設けている。
【００２９】
このような構成によれば、十字状ガイド９は、内筒６内部の気流を出口側へ直線的に案内し、中心部１３を通過する空気をより遠くまで送り出すことができる。
【産業上の利用可能性】
【００３０】
本発明にかかる気流ノズルは工場や体育館・ホールなどの大空間において、気流を作り出す必要性がある場合に利用され、気流を遠くまで届けたい場所での空気搬送や、空気の流れを与えることで温度を下げるような冷却ファンの用途に適用できる。
【図面の簡単な説明】
【００３１】
【図１】本発明の実施の形態１の気流ノズルと斜流ファンを示す図
【図２】（ａ）本発明の実施の形態１における気流ノズルを示す正面図、（ｂ）側面図
【図３】（ａ）本発明の実施の形態２における気流ノズルを示す正面図、（ｂ）上面図、（ｃ）側面図
【図４】（ａ）本発明の実施の形態３における気流ノズルを示す正面図、（ｂ）上面図、（ｃ）側面図
【図５】従来の気流ノズルと斜流ファンを示す図
【図６】従来のマルチガイドベーン付き軸流式送風機の側面図
【図７】従来のマルチガイドベーン付き軸流式送風機の正面図
【符号の説明】
【００３２】
１    斜流ファン
２    ベルマウス
３    金網
４    気流ノズル
５    外筒
６    内筒
７    ガイド板
８    ガイド板
９    十字状ガイド
１１  吹出口
１２  ファン吐出口
１３  中心部
１４  外周部
【図１】
2009257143.tif 000003
【図２】
2009257143.tif 000004
【図３】
2009257143.tif 000005
【図４】
2009257143.tif 000006
【図５】
2009257143.tif 000007
【図６】
2009257143.tif 000008
【図７】
2009257143.tif 000009